(57)【要約】【課題】蒸発器の着霜による乾燥性能の低下を抑えつつ、乾燥運転の開始時から圧縮機を高周波数で運転することができ、乾燥時間が長くなりにくい乾燥機を提供する。【解決手段】ヒートポンプ３６と、蒸発器３４の温度を検出する蒸発器温度センサ４３と、ヒートポンプ３６及び循環用送風機２６を制御する制御装置５０とを備え、制御装置５０は、初期周波数で圧縮機３８を運転させてヒートポンプ３６を起動した後、蒸発器温度センサ４３で検出された温度Ｔｅが所定の閾値温度Ｔｔｈ１以下になると、初期周波数より低い周波数で圧縮機３８を運転させる。【選択図】        図５
2017196132.tif 000002
【特許請求の範囲】
【請求項１】
衣類が収容される乾燥室と、
前記乾燥室外に設けられ前記乾燥室の空気を取出して前記乾燥室内に戻す循環風路と、
前記循環風路を通して前記乾燥室内の空気を循環させる循環用送風機と、
前記循環風路内の空気を加熱する凝縮器と、前記循環風路内の空気を冷却し除湿する蒸発器と、冷媒を圧縮して前記凝縮器に供給する圧縮機と、前記凝縮器を通った冷媒を減圧するキャピラリーチューブとを備えたヒートポンプと、
前記蒸発器の温度を検出する蒸発器温度センサと、
前記ヒートポンプ及び循環用送風機を制御する制御装置とを備え、
前記制御装置は、初期周波数で前記圧縮機を運転させてヒートポンプを起動した後、前記蒸発器温度センサで検出された温度が所定の閾値温度以下になると、前記初期周波数より低い周波数で前記圧縮機を運転させる乾燥機。
【請求項２】
前記制御装置は、前記閾値温度が複数設定され、前記蒸発器温度センサで検出された温度が閾値温度以下になる毎に前記圧縮機の運転周波数を低下させ、より低い周波数で前記圧縮機を運転させる、又は前記圧縮機を停止させる請求項１に記載の乾燥機。
【請求項３】
前記制御装置は、前記蒸発器温度センサで検出された温度が、複数設定された前記閾値温度のうち最も低い温度に設定された閾値温度以下になると前記圧縮機を停止させる請求項２に記載の乾燥機。
【発明の詳細な説明】
【技術分野】
【０００１】
本実施形態は乾燥機に関する。
【背景技術】
【０００２】
従来より、洗濯物等の衣類を乾燥する乾燥機として、衣類のしわや縮みが少なく省エネで乾燥時間も短くて済むことから、ヒートポンプを備えたものが注目されている。
【０００３】
ヒートポンプを備えた衣類乾燥機では、衣類を収容する乾燥室内に連通する循環風路を設け、この循環風路内に、乾燥室内の空気を循環風路を通して循環させるための送風機と、ヒートポンプの蒸発器及び凝縮器を配設している。
【０００４】
ヒートポンプは、冷媒を圧縮して吐出する圧縮機と、圧縮機から吐出された高温高圧のガス冷媒を放熱させて液化させるための凝縮器と、凝縮器を通った冷媒を減圧する減圧装置と、液化した冷媒を気化させる蒸発器とを配管によって順次接続して構成しており、圧縮機を駆動させることにより、冷媒を循環させるようになっている。
【０００５】
そして、凝縮器で放出された熱により加熱された循環風路内の空気を乾燥室内に送り込み、そして衣類から水分を奪った空気を循環風路内の蒸発器において冷却することにより除湿し、除湿した空気を再び凝縮器で加熱して乾燥室に供給するということを繰り返すことにより、衣類を乾燥させるようにしている。
【０００６】
上記のような衣類乾燥機では、冬場のように設置雰囲気の温度が低い場合、ヒートポンプの運転開始直後に循環風路内を流れる空気の温度が低いため、冷媒の気化熱により蒸発器の温度が０℃以下となって蒸発器に結露した水分が凍結する、いわゆる着霜が生じることがある。蒸発器に着霜が生じると、霜が蒸発器を通過する空気の抵抗となり循環風路を流れる風量が低下して、乾燥性能が低下するとともに、凝縮器で加熱された空気が蒸発器に充分に供給されず蒸発器の着霜が進行して乾燥性能が一層低下することがある。
【０００７】
これに対して、下記特許文献１では、圧縮機が停止状態から運転される乾燥運転の開始時に外気温センサの検出結果が予め決められた第１の閾値以下であると、圧縮機の運転周波数をマックス周波数に比べて十分に低い周波数の初期値で運転を開始し、蒸発器の温度が着霜する第２の閾値以下にならないように圧縮機の運転周波数を初期値から徐々に上昇させることで、蒸発器への着霜を抑えて乾燥性能の低下を防止することが提案されている。
【先行技術文献】
【特許文献】
【０００８】
【特許文献１】特開２０１０−１０４５７９号公報
【発明の概要】
【発明が解決しようとする課題】
【０００９】
しかしながら、乾燥運転の開始時に圧縮機の運転周波数をマックス周波数に比べて十分に低い周波数で運転を開始し、その後、圧縮機の運転周波数を徐々に上げていく制御では、圧縮機が高周波数で運転するまでに時間がかかり、乾燥時間が長くなりやすい。特に、近年のヒートポンプは、蒸発器の大型化や送風器の高性能化に伴い、蒸発器への着霜や循環風路の流量低下が起こりにくくなっているため、乾燥運転の開始時においてヒートポンプの乾燥能力を有効活用できていないことがある。
【００１０】
そこで、蒸発器の着霜による乾燥性能の低下を抑えつつ、乾燥運転の開始時から圧縮機を高周波数で運転することができ、乾燥時間が長くなりにくい乾燥機を提供することを目的とする。
【課題を解決するための手段】
【００１１】
本実施形態の乾燥機は、衣類が収容される乾燥室と、前記乾燥室外に設けられ前記乾燥室の空気を取出して前記乾燥室内に戻す循環風路と、前記循環風路を通して前記乾燥室内の空気を循環させる循環用送風機と、前記循環風路内の空気を加熱する凝縮器と、前記循環風路内の空気を冷却し除湿する蒸発器と、冷媒を圧縮して前記凝縮器に供給する圧縮機と、前記凝縮器を通った冷媒を減圧するキャピラリーチューブとを備えたヒートポンプと、前記蒸発器の温度を検出する蒸発器温度センサと、前記ヒートポンプ及び循環用送風機を制御する制御装置とを備え、前記制御装置は、初期周波数で前記圧縮機を運転させてヒートポンプを起動した後、前記蒸発器温度センサで検出された温度が所定の閾値温度以下になると、前記初期周波数より低い周波数で前記圧縮機を運転させるものである。
【図面の簡単な説明】
【００１２】
【図１】一実施形態による洗濯乾燥機の概略構成を示す図である。
【図２】洗濯乾燥機の外箱を除いた状態を示す後方からの斜視図である。
【図３】ヒートポンプの概略構成を示す図である。
【図４】洗濯乾燥機の電気構成を示すブロック図である。
【図５】洗濯乾燥機の乾燥行程のフロー図である。
【発明を実施するための形態】
【００１３】
一実施形態による洗濯乾燥機について図面を参照して説明する。図１において、外箱１の内部には水槽２が配設され、その水槽２の内部には回転槽であるドラム３が配設されている。水槽２及びドラム３は、共に一端部が閉塞された円筒状を成している。この場合、水槽２及びドラム３により、衣類の洗い（洗剤洗い及びすすぎ洗い）、脱水、乾燥に用いる槽が構成される。そしてドラム３の内部は、衣類が収容される乾燥室３ａを構成している。
【００１４】
水槽２及びドラム３は、前側（図１において左側）の端面部にそれぞれの開口部４、５を有している。このうち、ドラム３の開口部５は、衣類が出し入れされ、その開口部５は水槽２の開口部４に取り囲まれている。開口部４は、外箱１の前面部に形成された衣類出し入れ用の開口部６に、ベローズ７を介して連結されている。外箱１の開口部６には扉８が開閉可能に設けられている。
【００１５】
ドラム３は、開口部５の周囲に、例えば液体封入形の回転バランサが設けられ、周側部、つまり、ドラム３の胴部のほぼ全域に孔１０が形成されている。この孔１０は、洗い時及び脱水時に通水孔として機能し、乾燥時には通風孔として機能する。ドラム３の周側部の内面には複数のバッフルがドラム３の内方に突出して設けられている。ドラム３の後側の端面部には、複数の温風導入口１２が形成されている。
【００１６】
水槽２には、前側の上部に温風出口１３が形成され、後側の端面部の上部に温風入口１４が形成されている。水槽２の底部には排水口１５が設けられている。この排水口１５には、水槽２外で排水弁１６が接続され、更に、排水弁１６に排水ホース１７が接続され、これらにより水槽２内の水を機外に排出できるようにしている。
【００１７】
水槽２の背面部には洗濯機モータ１８が取り付けられており、洗濯機モータ１８より前方へ突出する回転軸１９が、水槽２の後側の端面部を貫通してドラム３の後側の端面部の中心部に取り付けられている。これにより、ドラム３は、水槽２に同軸状で回転可能に支持されている。
【００１８】
なお、水槽２は、複数のサスペンション２０（図２参照）を介して外箱１に弾性支持されている。その支持形態は、水槽２の軸方向が、前方に行くほど上方に位置する前上がりの傾斜状をなしている。さらに、ドラム３も水槽２の内部において同形態で配置されている。洗濯機モータ１８は、この場合アウターロータ形のブラシレスＤＣモータで構成されており、ドラム３を回転させる駆動手段として機能するようになっている。
【００１９】
水槽２の下方であって外箱１の底面上には、台板２１が配置され、この台板２１上に通風ダクト２２が配置されている。通風ダクト２２は、前端部の上部に吸風口２３を有している。この吸風口２３には、水槽２の温風出口１３が、還風ダクト２４を介して接続されている。
【００２０】
通風ダクト２２の後端部には、循環用送風機２６のケーシング２７が連設されている。このケーシング２７の出口部２８は、給風ダクト３０を介して、水槽２の温風入口１４に接続されている。なお、給風ダクト３０は、洗濯機モータ１８の左側を迂回するように配管されている。ここで、還風ダクト２４、通風ダクト２２、循環用送風機２６のケーシング２７、給風ダクト３０により、水槽２の温風出口１３と温風入口１４とが接続されて、循環風路３１が構成されている。
【００２１】
この循環風路３１は、上記したように還風ダクト２４の端部が水槽２の温風出口１３と接続され、給風ダクト３０の端部が温風入口１４と接続されており、水槽２内と連通しているとともに、ドラム３に設けられた孔１０を介してドラム３内とも連通している。
【００２２】
本実施形態において循環用送風機２６は、例えば遠心ファンから構成され、ケーシング２７の内部に遠心羽根車３２を有するとともに、その遠心羽根車３２を回転させるファンモータ３３をケーシング２７の外部に有している。遠心羽根車３２を回転させるファンモータ３３は、制御装置５０の制御によって回転数が変更可能に構成されている。この循環用送風機２６の運転により循環風路３１及び乾燥室３ａ内に矢印Ａで示すような空気の流れが生じ、乾燥室３ａの空気を温風出口１３から取出して温風入口１４より乾燥室３ａに戻す循環空気流が形成される。
【００２３】
そして、循環風路３１を構成する通風ダクト２２の内部には、乾燥室３ａの空気出口側（温風出口１３側）には蒸発器３４が配設され、蒸発器３４より循環空気流の下流側に凝縮器３５が配設されている。これらの蒸発器３４及び凝縮器３５は、冷媒流通パイプに伝熱フィンを細かいピッチで多数配設して成るフィン付きチューブ形のもので、熱交換性に優れており、それらの伝熱フィンの各間を、通風ダクト２２内の前述の循環空気流（循環風）が通るようになっている。
【００２４】
循環風路３１及び循環用送風機２６とともに乾燥手段を構成するヒートポンプ３６は、図３に示すような冷凍サイクル３７を備えて構成されている。冷凍サイクル３７は、圧縮機３８と、凝縮器３５と、キャピラリーチューブ３９と、蒸発器３４と、アキュムレータ４０とを閉ループ状に接続し内部に冷媒を封入して構成されている。
【００２５】
圧縮機３８は、循環風路３１の外部に配置されたもので、冷媒を吐出する吐出口および冷媒を吸込む吸込口を有している。この圧縮機３８は、制御装置５０によってモータの運転周波数が制御されることにより吐出する冷媒量を変更することができる能力可変型の圧縮機である。圧縮機３８の吐出口には凝縮器３５が接続されており、高温高圧のガス状の冷媒を凝縮器３５へ吐出する。凝縮器３５は、圧縮機３８から吐出されたガス状の冷媒を受けてこれを放熱液化した後、キャピラリーチューブ３９に液化した冷媒を導入する。キャピラリーチューブ３９は、凝縮器３５及び蒸発器３４の冷媒流通パイプに比べて内径及び外径が小さな鋼製等の金属製のパイプから構成され、凝縮器３５から流れ込んだ冷媒を気化しやすいように減圧してから蒸発器３４へ導入する。
【００２６】
蒸発器３４は、キャピラリーチューブ３９において減圧された液冷媒が気化して周囲から熱を奪ことにより通風ダクト２２内の空気を冷却して除湿する。蒸発器３４において熱を奪い気化した冷媒は、アキュムレータ４０に流れ込み液体の冷媒と気体の冷媒に分離され、気体の冷媒のみが圧縮機３８へ戻り、再び圧縮され高温高圧の気体状のガス冷媒となる。
【００２７】
洗濯乾燥機は、図３及び図４に示すように、入口温度センサ４１、出口温度センサ４２、蒸発器温度センサ４３、凝縮器温度センサ４４を備え、各温度センサ４１、４２、４３、４４が制御装置５０に接続されている。
【００２８】
入口温度センサ４１及び出口温度センサ４２は、図３に示すように、循環風路３１内に設けられ、循環風路３１内の空気の温度を検出する。このうち、入口温度センサ４１は、凝縮器３５と温風入口１４との間であって温風入口１４の近傍に設けられ、給風ダクト３０を通って乾燥室３ａへ供給される空気、つまり凝縮器３５で熱せられて乾燥室３ａ内へ供給される空気の温度を検出する。出口温度センサ４２は、蒸発器３４と温風出口１３との間であって温風出口１３の近傍に設けられ、乾燥室３ａから排気されて還風ダクト２４内を通る空気の温度を検出する。
【００２９】
蒸発器温度センサ４３は、例えば、蒸発器３４における風上側（つまり、蒸発器３４における通風ダクト２２の空気流れ方向の上流側）に位置する冷媒流通パイプ又はフィンの表面に取り付けられ、当該位置の温度を検出する。凝縮器温度センサ４４は、凝縮器３５に設けられ凝縮器３５の温度を検出する。
【００３０】
制御装置５０は、例えばマイクロコンピュータとメモリーとを備え、外箱１の内部に配設され洗濯乾燥機の作動全般を制御する制御手段として機能するようになっている。
【００３１】
この制御装置５０は、外箱１の前面部１ａの上部に設けられた操作表示パネル４５が備える各種操作スイッチより各種操作信号が入力されると共に、各温度センサ４１、４２、４３、４４からはそれぞれ温度検出信号が入力される。そして制御装置５０は、入力された信号と予めメモリーに記憶した制御プログラムに基づいて、排水弁１６、洗濯機モータ１８、ファンモータ３３、圧縮機３８を制御する。
【００３２】
次に、上記構成の洗濯乾燥機の動作の一例を説明する。
【００３３】
まず、洗濯乾燥機の概略的な動作について説明する。使用者により操作表示パネル４５の操作ボタンが操作されて運転のコースが設定され、その後、洗濯乾燥機は、設定された運転のコースに応じた洗濯運転、乾燥運転、あるいはその両運転を続けて行う洗濯乾燥運転を実行する。その１つとして、乾燥運転を実行する場合には、乾燥室３ａに湿った衣類が収容されたドラム３を低速で正逆両方向に回転させつつ、通風ダクト２２で除湿された加熱空気を乾燥室３ａに供給する動作が行われる。
【００３４】
乾燥室３ａ内に除湿された加熱空気を供給する動作は、循環用送風機２６を駆動させつつヒートポンプ３６を動作させることで行われるが、制御装置５０は、圧縮機３８の動作を開始してヒートポンプ３６を起動する際に、図５に示すような起動制御を実行する。
【００３５】
具体的には、制御装置５０は、ステップＳ１においてファンモータ３３をオフ状態からオン状態に切換えることで循環用送風機２６の運転を開始し、循環風路３１内に風を循環させる。次に、制御装置５０は、ステップＳ２において圧縮機３８の運転周波数ｆを初期周波数ｆ０に設定し、圧縮機３８を初期周波数ｆ０で駆動する。この初期周波数ｆ０は、洗濯乾燥機の設置雰囲気が低温（例えば、５℃）の場合に、循環風路３１の空気の流れに支障を来さない程度の霜が蒸発器３４に付着する圧縮機３８の運転周波数の上限値（例えば、ｆ０＝９０Ｈｚ）に設定される。
【００３６】
そして、制御装置５０は、ステップＳ３において循環用送風機２６及び圧縮機３８を駆動してから所定時間（例えば１分間）経過したか否かを判断し、所定時間経過するとステップＳ４へ進み、蒸発器温度センサ４３からの温度検出信号に基づいて風上側の蒸発器温度Ｔｅを検出する。
【００３７】
制御装置５０は、検出した蒸発器温度Ｔｅを終了判定温度Ｔｅｎｄと比較する。この終了判定温度Ｔｅｎｄは、ヒートポンプ３６の起動した後に蒸発器３４に着霜が生じない温度（例えば、Ｔｅｎｄ＝２℃）に設定される。制御装置５０は、ステップＳ５において蒸発器温度Ｔｅが終了判定温度Ｔｅｎｄより大きい（つまり、Ｔｅ＞Ｔｅｎｄ）と判断すると、ステップＳ６へ移行して起動制御を終了して通常運転を開始する。
【００３８】
一方、ステップＳ５において蒸発器温度Ｔｅが終了判定温度Ｔｅｎｄ以下（つまり、Ｔｅ≦Ｔｅｎｄ）と判断した場合、制御装置５０は、ステップＳ７へ移行し、蒸発器温度Ｔｅを第１閾値温度Ｔｔｈ１と比較する。この第１閾値温度Ｔｔｈ１は、蒸発器３４に着霜が生じるが、循環風路３１の空気の流れに支障を来さない温度（例えば、Ｔｔｈ２＝−２℃）に設定される。
【００３９】
制御装置５０は、ステップＳ７において蒸発器温度Ｔｅが第１閾値温度Ｔｔｈ１より大きい（つまり、Ｔｔｈ１＜Ｔｅ≦Ｔｅｎｄ）と判断すると、ステップＳ４に戻って蒸発器温度Ｔｅを検出する。
【００４０】
制御装置５０は、ステップＳ７において蒸発器温度Ｔｅが第１閾値温度Ｔｔｈ１以下（つまり、Ｔｅ≦Ｔｔｈ１）と判断すると、ステップＳ９へ移行し、蒸発器温度Ｔｅを第２閾値温度Ｔｔｈ２と比較する。この第２閾値温度Ｔｔｈ２は、凝縮器３５で加熱された空気が蒸発器３４に充分に供給されず蒸発器３４の着霜が進行する温度（例えば、Ｔｔｈ２＝−１０℃）に設定される。
【００４１】
制御装置５０は、ステップＳ９において、蒸発器温度Ｔｅが第２閾値温度Ｔｔｈ２以下（つまり、Ｔｅ≦Ｔｔｈ２）と判断すると、ステップＳ１２へ移行し、圧縮機３８を停止し、所定時間経過後（例えば、５分後）、ステップＳ１に戻ってヒートポンプ３６を再起動する。
【００４２】
一方、制御装置５０は、ステップＳ９において蒸発器温度Ｔｅが第２閾値温度Ｔｔｈ２より大きい（つまり、Ｔｔｈ２＜Ｔｅ≦Ｔｔｈ１）と判断すると、ステップＳ１０へ移行し、圧縮機３８の運転周波数ｆが下限周波数ｆｍｉｎ（例えば、ｆｍｉｎ＝４０Ｈｚ）より大きいか否か判断する。
【００４３】
制御装置５０は、ステップＳ１０において圧縮機３８の運転周波数ｆが下限周波数ｆｍｉｎより大きいと判断すると、ステップＳ１１へ移行し、圧縮機３８の運転周波数ｆを所定量Δｆ（例えば、Δｆ＝５Ｈｚ）だけ低い周波数（ｆ−Δｆ）に変更する。そして、制御装置５０は、圧縮機３８の運転周波数を低下させた後、ステップＳ８へ移行し、所定時間経過後（例えば、２分後）、ステップＳ４に戻って蒸発器温度Ｔｅを検出する。つまり、運転周波数ｆを低下させて圧縮機３８を所定時間運転させた後、蒸発器温度Ｔｅを再度検出し（ステップＳ４）、その検出温度に応じて、制御装置５０は、通常運転へ移行したり、圧縮機３８の運転周波数を保持して運転を継続したり、圧縮機３８の運転周波数を所定量Δｆだけ更に低下したり、圧縮機３８を停止したりする（ステップＳ５〜ステップＳ１２）。
【００４４】
以上のような本実施形態では、ヒートポンプ３６の起動時に圧縮機３８を初期周波数ｆ０で駆動した後、風上側の蒸発器温度Ｔｅが第１閾値温度Ｔｔｈ１より大きいと、圧縮機３８の運転周波数を初期周波数ｆ０に維持し、風上側の蒸発器温度Ｔｅが第１閾値温度Ｔｔｈ１以下であると、圧縮機３８の運転周波数を所定量Δｆ低下させる。つまり、本実施形態では、乾燥運転を高い周波数で開始し、風上側の蒸発器温度Ｔｅが第１閾値温度Ｔｔｈ１を下回り蒸発器３４への着霜が進行するおそれあると、圧縮機３８の運転周波数を低下させて適切な運転周波数に設定するため、蒸発器３４の着霜による乾燥性能の低下を抑えつつ、乾燥運転の開始後の早い段階から圧縮機３８を高周波数で運転することができ、いたずらに乾燥時間が長くなることがない。
【００４５】
また、本実施形態では、圧縮機３８の運転周波数を変更するための閾値温度が複数設定されているため、蒸発器３４の着霜の程度に応じて圧縮機３８の運転周波数を変更したり圧縮機３８を停止することができる。
【００４６】
なお、上記した実施形態では、圧縮機３８の運転周波数を変更するための閾値温度を２種類設定したが、閾値温度を３種類以上設定してもよい。
例えば、第１閾値温度Ｔｔｈ１と第２閾値温度Ｔｔｈ２との間に第３閾値温度Ｔｔｈ３を設定し、蒸発器温度センサ４３で検出された風上側の蒸発器温度Ｔｅが所定時間（例えば、５分間）継続して第３閾値温度Ｔｔｈ３（例えば、−９℃）以下となった場合に運転周波数を所定量Δｆ低下させてもよい。このような場合、蒸発器３４の着霜の程度に応じて圧縮機３８の運転周波数をよりきめ細かく制御することができ、起動制御を早期に終了させ通常運転へ移行することができる。
【００４７】
また、上記した実施形態では、蒸発器温度センサ４３で検出された蒸発器温度Ｔｅが、第１閾値温度Ｔｔｈ１以下であって第２閾値温度Ｔｔｈ２より高い場合（Ｔｔｈ２＜Ｔｅ≦Ｔｔｈｅ１）に圧縮機３８の運転周波数を所定量Δｆだけ低下させ、その後、所定時間経過すると再び蒸発器温度センサ４３で蒸発器温度Ｔｅを検出し、その検出温度が第１閾値温度Ｔｔｈ１以下であって第２閾値温度Ｔｔｈ２より高い場合に再度圧縮機３８の運転周波数を所定量Δｆだけ低下させたが、例えば、第１閾値温度Ｔｔｈ１と第２閾値温度Ｔｔｈ２との間に１又は２以上の閾値温度を設定し、蒸発器温度センサ４３で検出された蒸発器温度Ｔｅが、第１閾値温度Ｔｔｈ１以下に達し圧縮機３８の運転周波数を所定量Δｆだけ低下させた後、蒸発器温度センサ４３で検出された蒸発器温度Ｔｅが第１閾値温度Ｔｔｈ１と第２閾値温度Ｔｔｈ２との間に設定した閾値温度に達する毎に圧縮機３８の運転周波数を低下させてもよい。その場合、蒸発器温度センサ４３で検出された蒸発器温度Ｔｅがより低い温度に設定された閾値温度以下になるほど、圧縮機３８の運転周波数を低下させる所定量Δｆを大きくしてもよい。
【００４８】
また、上記した実施形態では、洗濯乾燥機の設置雰囲気の温度にかかわらず蒸発器温度Ｔｅが終了判定温度Ｔｅｎｄに達するまで起動制御を実行する場合について説明したが、例えば、洗濯乾燥機の設置雰囲気の温度を検出する外気温センサを設け、当該外気温センサの検出温度が所定温度以下の場合に起動制御を行い、所定温度より高い場合に起動制御を実行せず通常運転を実行してもよい。
【００４９】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５０】
１…外箱、２…水槽、３…ドラム、３ａ…乾燥室、２２…通風ダクト、２４…還風ダクト、２６…循環用送風機、３０…給風ダクト、３１…循環風路、３４…蒸発器、３５…凝縮器、３６…ヒートポンプ、３７…冷凍サイクル、３８…圧縮機、３９…キャピラリーチューブ、４３…蒸発器温度センサ、４４…凝縮器温度センサ、５０…制御装置
【図１】
2017196132.tif 000003
【図２】
2017196132.tif 000004
【図３】
2017196132.tif 000005
【図４】
2017196132.tif 000006
【図５】
2017196132.tif 000007